(57)【要約】【課題】使用者の誤操作による事故等の発生を未然に防止することが可能な浴室暖房乾燥装置を提供する。【解決手段】浴室の一部に取り付けられた温風暖房乾燥機１と、温風暖房乾燥機１の本体に内蔵された音声発生部８と、温風暖房乾燥機１を制御するための制御指令信号を外部から入力するための制御指令入力手段１１と、各制御指令信号の全て又は一部に対応して報知文情報が記憶されている報知文情報記憶部１４と、制御指令入力手段１１から制御指令信号が入力された場合に、当該制御指令信号に対する報知文情報を報知文情報記憶部１４から読み出す報知文情報検索部１３と、報知情報検索部１３が読み出した報知文情報を音声発生部８によって音声出力する音声出力部１７とを備えた。【選択図】        図２
2005241053.tif 000002
【特許請求の範囲】
【請求項１】
浴室の暖房及び乾燥を行うための浴室暖房乾燥装置であって、
浴室の一部に取り付けられた温風暖房乾燥機と、
前記温風暖房乾燥機の本体に内蔵された音声発生部と、
前記温風暖房乾燥機を制御するための制御指令信号を外部から入力するための制御指令入力手段と、
各制御指令信号の全て又は一部に対応して報知文情報が記憶されている報知文情報記憶部と、
前記制御指令入力手段から制御指令信号が入力された場合に、当該制御指令信号に対応する報知文情報を前記報知文情報記憶部から読み出す報知文情報検索部と、
前記報知情報検索部が読み出した報知文情報を前記音声発生部によって音声出力する音声出力部と、
を備えていることを特徴とする浴室暖房乾燥装置。
【請求項２】
前記報知文情報記憶部には、前記各報知文情報のそれぞれに対して、音声出力すべき報知情報を選択するための情報である報知レベル情報が記憶されており、
前記報知文情報検索部は、前記報知文情報とともに前記報知レベル情報を読み出すものであり、
前記報知レベルの閾値を設定するための報知レベル設定部と、
前記報知文情報検索部が読み出した前記報知レベルを、前記報知レベル設定部により設定された報知レベルの閾値と比較し、音声出力の実行をするか否かの判定を行う報知レベル判定部と、
を具備し、
前記音声出力部は、前記報知レベル判定部により音声出力の実行をすると判定された前記報知文情報を前記音声発生部によって音声として出力するものであることを特徴とする請求項１記載の浴室暖房乾燥装置。
【請求項３】
前記報知レベル判定部は、所定の報知レベルの報知文情報に対しては、常に音声出力の実行をする判定を行うことを特徴とする請求項２記載の浴室暖房乾燥装置。
【請求項４】
浴室内に取り付けられ、温水を浴室内に噴霧することにより浴室内の暖房を行うミスト式浴室暖房装置と、
前記制御指令入力手段により入力された制御指令信号が、前記ミスト式浴室暖房装置を制御するための制御指令信号である場合において、当該制御指令信号を前記ミスト式浴室暖房装置に無線送信する制御指令送信手段と、
を備え、
前記報知文情報記憶部には、少なくとも、前記ミスト式浴室暖房装置に対し温水の噴霧を開始する指令を表す前記制御指令信号に対する報知文情報として、使用者に注意を喚起する警報文の情報が記憶されていることを特徴とする請求項１乃至３の何れか一記載の浴室暖房乾燥装置。
【請求項５】
浴室内に取り付けられ、温水を浴室内に噴霧することにより浴室内の暖房を行うミスト式浴室暖房装置と、
前記制御指令入力手段により入力された制御指令信号が、前記ミスト式浴室暖房装置を制御するための制御指令信号である場合において、当該制御指令信号を前記ミスト式浴室暖房装置に無線送信する制御指令送信手段と、
を備え、
前記報知文情報記憶部には、少なくとも、前記ミスト式浴室暖房装置に対し温水の噴霧を停止する指令を表す前記制御指令信号に対する報知文情報として、使用者に乾燥運転を促す注意喚起文の情報が記憶されていることを特徴とする請求項１乃至３の何れか一記載の浴室暖房乾燥装置。
【発明の詳細な説明】
【技術分野】
【０００１】
本発明は、浴室の暖房及び乾燥を行うための浴室暖房乾燥装置に関するものであり、特に使用者の誤操作や使用後の処理のし忘れ等を防止することが可能な浴室暖房乾燥装置に関する。
【背景技術】
【０００２】
従来の浴室暖房乾燥装置として、温水ミストを噴霧するためのミスト式浴室暖房装置を浴室内に取り付けるとともに、浴室の一部に温風暖房乾燥機を取りつけ、ミスト式浴室暖房装置により浴室内をミスト暖房するとともに、温風暖房乾燥機により浴室内を暖房又は乾燥することが可能な構成の浴室暖房乾燥装置が公知である（特許文献１，２参照）。
【０００３】
図５は特許文献１に記載の浴室暖房乾燥装置の機器配置を表す図である。浴室１００内には、温水又は冷水を出水するカラン１０１、浴槽１０２、及びシャワー１０３が設けられている。浴室１００の一壁面の天井付近には、温風を吹き出す温風暖房乾燥機１０４が取り付けられている。また、浴室１００の一壁面の床面付近には、カラン１０１に近接して、ミスト式浴室暖房装置１０５が設置されている。この場合、浴室暖房乾燥装置は、温風暖房乾燥機１０４とミスト式浴室暖房装置１０５とによって構成される。
【０００４】
ミスト式浴室暖房装置１０５は、種々の構成のものが公知であるが、例えば、特許文献３に記載のもののように、カラン１０１の給湯管に直接接続するものを使用することができる。
【０００５】
また、特許文献２においては、浴室暖房乾燥装置の動作として、（１）ミスト噴霧用ノズルから温水ミストを浴室内に噴霧することにより、浴室内の温度を高めるミスト暖房方式、（２）温水、電気、ガス、灯油等を熱源として温風暖房乾燥機１０４を駆動して浴室内の温度を高める乾燥暖房方式、及び（３）上記ミスト暖房方式と乾燥暖房方式とを併用する併用方式について記載されている。
【特許文献１】特開２００２−２５３４４０号公報
【特許文献２】特開２００２−８９８６６号公報
【特許文献３】特開平１０−１８５２２４号公報
【発明の開示】
【発明が解決しようとする課題】
【０００６】
上述のような従来の浴室暖房乾燥装置においては、使用者がリモコン装置等を用いて浴室暖房乾燥装置の操作を行った場合、温風暖房乾燥機１０４の表面パネルに設けられたＬＥＤランプが点灯又は消滅するとともに、「ピー」といったブザー音を発生させて、動作指示の内容を使用者に報知する構成のものが一般的である。
【０００７】
しかしながら、通常、温風暖房乾燥機１０４は浴室の天井付近に設置されるため、使用者の視点からは斜め上方に離れて位置する。従って、使用者がリモコンの入力を誤った場合などは、誤操作を行ったことに気づきにくい。例えば、使用者が意に反して温水ミストの噴霧開始操作を誤って行った場合、使用者が意図していないにもかかわらずミスト式浴室暖房装置１０５からミストが噴霧される。この場合、ミスト温度が低温に設定されていると、使用者が突然に低温ミストを浴びることとなる。また、特にミスト温度が高温に設定されていると、使用者が突然に高温ミストを浴びて火傷を負うような事故が生じる可能性も考えられる。
【０００８】
また、特に視覚障害者にとっては、ＬＥＤランプが点灯又は消滅による報知は分かり難く、また、ブザー音だけでは誤操作に気づくことができない。
【０００９】
そこで、本発明の目的は、使用者の誤操作による事故等の発生を未然に防止することが可能な浴室暖房乾燥装置を提供することにある。
【課題を解決するための手段】
【００１０】
本発明に係る浴室暖房乾燥装置の第１の構成は、浴室の暖房及び乾燥を行うための浴室暖房乾燥装置において、浴室の一部に取り付けられた温風暖房乾燥機と、前記温風暖房乾燥機の本体に内蔵された音声発生部と、前記温風暖房乾燥機を制御するための制御指令信号を外部から入力するための制御指令入力手段と、各制御指令信号の全て又は一部に対応して報知文情報が記憶されている報知文情報記憶部と、前記制御指令入力手段から制御指令信号が入力された場合に、当該制御指令信号に対応する報知文情報を前記報知文情報記憶部から読み出す報知文情報検索部と、前記報知情報検索部が読み出した報知文情報を前記音声発生部によって音声出力する音声出力部とを備えていることを特徴とする。
【００１１】
この構成によれば、使用者は、浴室暖房乾燥装置に特定の動作の開始又は終了を行わせたい場合、制御指令入力手段によって制御指令信号を入力する。報知文情報検索部は、この制御指令信号に対応して報知文情報を報知文情報記憶部から読み出す。そして、音声出力部は、報知文情報を、音声発生部によって音声出力される。これにより、使用者は、自己が操作した内容を、音声により確認することができる。従って、使用者が視覚障害者や弱視者である場合であっても、使用者の誤操作による事故等の発生を未然に防止することが可能となる。
【００１２】
ここで、制御指令入力手段は、リモコン装置を使用することができる。
【００１３】
本発明に係る浴室暖房乾燥装置の第２の構成は、前記第１の構成において、前記報知文情報記憶部には、前記各報知文情報のそれぞれに対して、音声出力すべき報知情報を選択するための情報である報知レベル情報が記憶されており、前記報知文情報検索部は、前記報知文情報とともに前記報知レベル情報を読み出すものであり、前記報知レベルの閾値を設定するための報知レベル設定部と、前記報知文情報検索部が読み出した前記報知レベルを、前記報知レベル設定部により設定された報知レベルの閾値と比較し、音声出力の実行をするか否かの判定を行う報知レベル判定部とを具備し、前記音声出力部は、前記報知レベル判定部により音声出力の実行をすると判定された前記報知文情報を前記音声発生部によって音声として出力するものであることを特徴とする。
【００１４】
この構成によれば、報知レベル設定部により設定される報知レベルの閾値を変更すれば、浴室暖房乾燥装置を使用する使用者層によって、音声出力を行うべき報知文の数や種類を自由に変更することが可能となる。従って、浴室暖房乾燥装置が使用される環境に適応した音声による報知を実現することができる。
【００１５】
本発明に係る浴室暖房乾燥装置の第３の構成は、前記第１又は２の構成において、前記報知レベル判定部は、所定の報知レベルの報知文情報に対しては、常に音声出力の実行をする判定を行うことを特徴とする。
【００１６】
この構成によれば、特に重要な警告文に関する報知文情報に対しては、常に音声出力の実行をする判定を行う報知レベルに設定しておくことで、使用者が重大な誤操作等を行うことを未然に防止できる。これにより、浴室暖房乾燥装置の使用時の安全性を高めることができる。
【００１７】
本発明に係る浴室暖房乾燥装置の第４の構成は、前記第１乃至３の何れか一の構成において、浴室内に取り付けられ、温水を浴室内に噴霧することにより浴室内の暖房を行うミスト式浴室暖房装置と、前記制御指令入力手段により入力された制御指令信号が、前記ミスト式浴室暖房装置を制御するための制御指令信号である場合において、当該制御指令信号を前記ミスト式浴室暖房装置に無線送信する制御指令送信手段とを備え、前記報知文情報記憶部には、少なくとも、前記ミスト式浴室暖房装置に対し温水の噴霧を開始する指令を表す前記制御指令信号に対する報知文情報として、使用者に注意を喚起する警報文の情報が記憶されていることを特徴とする。
【００１８】
これにより、特に高温の温水ミストが噴霧されることによって使用者が火傷を負う可能性がある、又は、長時間停止後配管内の湯が冷めた状態からのミスト式浴室暖房装置の温水噴霧の開始時に、事前に使用者に対して温水（冷水）が噴霧することを確実に認知させることができる。従って、安全性がより向上する。
【００１９】
本発明に係る浴室暖房乾燥装置の第５の構成は、前記第１乃至３の何れか一の構成において、浴室内に取り付けられ、温水を浴室内に噴霧することにより浴室内の暖房を行うミスト式浴室暖房装置と、前記制御指令入力手段により入力された制御指令信号が、前記ミスト式浴室暖房装置を制御するための制御指令信号である場合において、当該制御指令信号を前記ミスト式浴室暖房装置に無線送信する制御指令送信手段と、を備え、前記報知文情報記憶部には、少なくとも、前記ミスト式浴室暖房装置に対し温水の噴霧を停止する指令を表す前記制御指令信号に対する報知文情報として、使用者に乾燥運転を促す注意喚起文の情報が記憶されていることを特徴とする。
【００２０】
これにより、ミスト式浴室暖房装置の温水噴霧の終了時に、使用者に対して乾燥運転を促す注意喚起を音声で伝達することで、使用者がミスト式浴室暖房装置の使用後に浴室を乾燥させ忘れるのを防止することができる。従って、浴室内が腐食したり浴室内に黴が発生したりすることを防止できる。
【発明の効果】
【００２１】
以上のように、本発明によれば、使用者は制御指令入力手段によって自分が浴室暖房乾燥装置を操作した内容を、音声により確認することができる。従って、使用者が視覚障害者や弱視者である場合であっても、使用者の誤操作による事故や使用後の処理のし忘れ等の発生を未然に防止することが可能となる。
【発明を実施するための最良の形態】
【００２２】
以下、本発明を実施するための最良の形態について、図面を参照しながら説明する。
【実施例１】
【００２３】
図１は本発明の実施例１に係る浴室暖房乾燥装置の機器構成を表す図である。本実施例の浴室暖房乾燥装置は、温風暖房乾燥機１、ミスト式浴室暖房装置２、及びリモコン装置３の３つの機器から構成されている。温風暖房乾燥機１は、浴室内の壁の天井部付近に設置される。ミスト式浴室暖房装置２は、浴室の壁の一部に設けられたカラン４の近傍に設置される。リモコン装置３は、持ち運びが可能である。尚、温風暖房乾燥機１とミスト式浴室暖房装置２の浴室内の配置は、具体的には、例えば、図５と同様に配置することができる。
【００２４】
温風暖房乾燥機１は、電気ヒータ、ガスバーナ、灯油バーナ等で沸かした湯で温水熱交換器を加熱し、これで浴室内の空気を加温又は乾燥し、再び浴室内に吹き出す。これにより、浴室内を暖房又は乾燥する。ミスト式浴室暖房装置２は、カラン４の給湯管５に直接接続されている。ミスト式浴室暖房装置２は、この給湯管５から供給される温水を、ミスト・ノズル６からミストとして浴室内に噴霧する。
【００２５】
温風暖房乾燥機１とミスト式浴室暖房装置２との間は赤外線による無線通信が可能である。また、温風暖房乾燥機１とリモコン装置３との間も、赤外線による無線通信が可能である。ミスト式浴室暖房装置２は電池駆動であり、温風暖房乾燥機１から送信される制御指令信号に従って、給湯管５からの湯の断通を行う開閉弁を開閉制御する。また、使用者が浴室暖房乾燥装置を操作する場合には、リモコン装置３によって温風暖房乾燥機１に制御指令信号を入力する。
【００２６】
温風暖房乾燥機１の表面パネルには、赤外線を受光又は発光するための赤外線窓７と、報知音声を発生させるためのスピーカ８とが設けられている。
【００２７】
図２は温風暖房乾燥機１の機能構成を表すブロック図である。温風暖房乾燥機１は、スピーカ８（音声発生部）、受信部（制御指令入力手段）１１、指令判定部１２、報知文情報検索部１３、報知文情報記憶部１４、報知レベル設定部１５、報知レベル判定部１６、音声出力部１７、制御部１８、及び送信部１９を備えている。
【００２８】
音声発生部であるスピーカ８は、図１と同様のものである。受信部１１は、赤外線受光器と通信インタフェース回路によって構成されており、リモコン装置３から送信される制御指令信号の受信を行う。この受信部１１が、温風暖房乾燥機１を制御するための制御指令信号を外部から入力するための制御指令入力手段として機能する。
【００２９】
指令判定部１２は、受信部１１が受信した制御指令信号をデコードして、報知文情報検索部１３及び制御部１８に出力する。また、制御指令信号が、後述の報知レベルの閾値を変更するための情報である場合には、これを報知レベル設定部１５に出力する。
【００３０】
制御部１８は、指令判定部１２が出力する制御指令信号に従って、温風暖房乾燥機１の動作制御を行う。送信部１９は、制御指令信号が、ミスト式浴室暖房装置２を制御するための制御指令信号である場合において、当該制御指令信号をミスト式浴室暖房装置２に赤外線により無線送信する制御指令送信手段として機能する。
【００３１】
報知文情報記憶部１４は、ＲＯＭやＥＰＲＯＭなどにより構成されている。報知文情報記憶部１４には、各制御指令信号の全て又は一部に対応する報知文情報と、各報知文情報のそれぞれに対応する報知レベル情報が記憶されている。尚、報知文情報とは、制御指令信号の入力に対応してスピーカ８から音声出力する報知文に関する情報をいう。報知レベル情報とは、音声出力すべき報知情報を選択するための情報をいい、報知文情報の重要度を表す指標である。ここでは、報知レベルは００，０１，１０，１１の４段階で表されているものとする。報知レベルの数字が大きいほど報知文情報の重要度が大きいものとする。
【００３２】
図３は報知文情報記憶部１４に記憶されたデータの構造を示す図である。図３のように、報知文情報記憶部１４には、各制御指令信号を特定する番号（制御指令番号）に対応して、｛報知文情報，報知レベル｝の組が、リスト形式で格納されている。このリストには、ミスト式浴室暖房装置２に対し温水の噴霧を開始する指令を表す制御指令信号に対する報知文情報として、使用者に注意を喚起する警報文の情報が含まれている。また、ミスト式浴室暖房装置２に対し温水の噴霧を停止する指令を表す制御指令信号に対する報知文情報として、使用者に乾燥運転を促す注意喚起文の情報も含まれている。
【００３３】
報知文情報検索部１３は、制御指令信号が入力された場合に、当該制御指令信号に対する報知文情報及び報知レベル情報を報知文情報記憶部１４から読み出す。
【００３４】
報知レベル設定部１５は、報知レベルの閾値を設定する。また、閾値に関する制御指令信号が入力された場合に、報知レベル設定部１５は、報知レベルの閾値を変更する。ここで、報知レベルの閾値とは、音声報知すべき報知レベルの最大値をいう。
【００３５】
報知レベル判定部１６は、報知文情報検索部１３が読み出した報知レベルを、報知レベル設定部１５により設定された報知レベルの閾値と比較し、閾値以上の場合には音声出力を実行をすると判定し、閾値未満の場合には音声出力を実行しないと判定する。この判定の結果、音声出力を実行する場合にのみ、報知レベル判定部１６は、報知文情報を音声出力部１７に出力する。音声出力部１７は、報知レベル判定部１６により音声出力の実行をすると判定された報知文情報をスピーカ８によって音声として出力する。
【００３６】
ここで、報知レベルが最重要レベルである「１１」の場合、報知レベル判定部１６は常に音声出力の実行をする判定を行うこととなる。従って、報知文情報記憶部１４に記憶された報知文情報のうち、危険報知に関する報知文情報やその他の重要な報知文情報に対する報知レベルは「１１」に設定されている。これにより、重要な報知文情報は、使用者による報知レベルの閾値の変更にかかわらず、常に音声報知される。
【００３７】
以上のように構成された本実施例に係る浴室暖房乾燥装置について、以下その動作を説明する。図４は浴室暖房乾燥装置の動作を表すフローチャートである。
【００３８】
まず、温風暖房乾燥機１は、リモコン装置３から、制御指令信号が受信されたか否かを判定し（Ｓ１）、制御指令信号が受信されるまでは待機する。
【００３９】
制御指令信号が受信された場合、指令判定部１２は、制御指令信号が報知レベルの閾値変更指令であるか否かを判定し（Ｓ２）、閾値変更指令である場合には、報知レベル設定部１５は、指定された新たな報知レベルの閾値を設定し（Ｓ３）、ステップＳ１に戻る。
【００４０】
ステップＳ２で、制御指令信号が閾値変更指令ではない場合には、報知文情報検索部１３は、制御指令信号に対応する報知文情報及びその報知レベルを、報知文情報記憶部１４から検索して取得する（Ｓ４）。次に、報知レベル判定部１６は、報知レベルをその閾値と比較し（Ｓ５）、報知レベルがその閾値以上であれば、報知文情報を音声出力部１７に出力する。音声出力部１７は、スピーカ８により、報知文情報を音声出力する（Ｓ６）。これにより、使用者に対して、操作指令に対応した報知文情報が音声として報知される。従って、使用者の誤操作を防止できる。
【００４１】
尚、危険報知のような重要な報知文情報については、報知レベルが「１１」であるため、報知レベルの閾値の如何に関わらず、常に音声で使用者に報知される。従って、使用者はこの音声報知を認知して危険回避の行動を取ることができる。
【００４２】
また、使用者がミスト式浴室暖房装置２の噴霧を開始する指令を入力した場合には、使用者に注意を喚起する警報文が音声報知される。従って、使用者の誤操作によって、使用者にとって不意にミスト式浴室暖房装置２の噴霧が開始されることを防止できる。
【００４３】
更に、使用者がミスト式浴室暖房装置２の噴霧を停止する指令を入力した場合には、使用者に乾燥運転を促す注意喚起文が音声報知される。従って、使用者が、ミスト暖房を使用した後に、浴室を乾燥処理し忘れることを防止できる。
【００４４】
次に、制御部１８は、所定の待機時間が経過するのを待って（Ｓ７）、制御指令信号に従って動作制御を行う（Ｓ８）。そして、再びステップＳ１に戻る。
【００４５】
以上のように、本実施例の浴室暖房乾燥装置によれば、使用者はリモコン装置３によって自分が浴室暖房乾燥装置を操作した内容を、音声により確認することができる。従って、使用者が視覚障害者や弱視者である場合であっても、使用者の誤操作による事故や使用後の処理のし忘れ等の発生を未然に防止することが可能となる。
【図面の簡単な説明】
【００４６】
【図１】本発明の実施例１に係る浴室暖房乾燥装置の機器構成を表す図である。
【図２】温風暖房乾燥機１の機能構成を表すブロック図である。
【図３】報知文情報記憶部１４に記憶されたデータの構造を示す図である。
【図４】浴室暖房乾燥装置の動作を表すフローチャートである。
【図５】特許文献１に記載の浴室暖房乾燥装置の機器配置を表す図である。
【符号の説明】
【００４７】
１  温風暖房乾燥機
２  ミスト式浴室暖房装置
３  リモコン装置
４  カラン
５  給湯管
６  ミスト・ノズル
７  赤外線窓
８  スピーカ（音声発生部）
１１  受信部（制御指令入力手段）
１２  指令判定部
１３  報知文情報検索部
１４  報知文情報記憶部
１５  報知レベル設定部
１６  報知レベル判定部
１７  音声出力部
１８  制御部
１９  送信部
【図１】
2005241053.tif 000003
【図２】
2005241053.tif 000004
【図３】
2005241053.tif 000005
【図４】
2005241053.tif 000006
【図５】
2005241053.tif 000007